(57)【特許請求の範囲】
【請求項１】
コンテンツ配信における評価値に基づいて順位が付された複数のコンテンツに関する情報を取得する取得部と、
前記順位に基づく配信時に配信されるコンテンツよりも前記順位が低いコンテンツが配信コンテンツとして配信される場合、前記配信コンテンツの前記順位に基づく予定課金額よりも多い額を前記配信コンテンツの提供元への課金額として算出する算出部と、
を備えることを特徴とする算出装置。
【請求項２】
前記算出部は、
ランダムにコンテンツ配信を行う際に前記配信コンテンツが配信される場合、前記配信コンテンツの予定課金額よりも多い額を前記配信コンテンツの提供元への課金額として算出する
ことを特徴とする請求項１に記載の算出装置。
【請求項３】
前記算出部は、
評価値に基づいて抽出された配信候補からランダムに選択されるコンテンツを配信する際に前記配信コンテンツが配信される場合、前記配信コンテンツの予定課金額よりも多い額を前記配信コンテンツの提供元への課金額として算出する
ことを特徴とする請求項２に記載の算出装置。
【請求項４】
前記算出部は、
前記配信コンテンツの提供元への課金額を前記配信コンテンツの予定課金額と前記配信コンテンツの入札価格とに基づいて算出する
ことを特徴とする請求項１〜３のいずれか１つに記載の算出装置。
【請求項５】
前記算出部は、
前記配信コンテンツの予定課金額より多く、前記配信コンテンツの入札価格以下の範囲内で、前記配信コンテンツの提供元への課金額を算出する
ことを特徴とする請求項１〜４のいずれか１つに記載の算出装置。
【請求項６】
前記算出部は、
前記配信コンテンツの提供元への課金額を、前記配信コンテンツの順位と配信されるコンテンツ数とに基づいて算出する
ことを特徴とする請求項１〜５のいずれか１つに記載の算出装置。
【請求項７】
前記算出部は、
前記配信コンテンツの順位と配信されるコンテンツ数との差が大きい程、前記配信コンテンツの提供元への課金額を前記配信コンテンツの入札価格に近くなるように算出する
ことを特徴とする請求項６に記載の算出装置。
【請求項８】
前記取得部は、
広告配信における評価値に基づいて順序が付された複数の広告に関する情報を取得し、
前記算出部は、
広告配信を行う際に前記順位に基づく配信時に配信される広告よりも前記順位が低い広告が配信広告として配信される場合、前記配信広告の予定課金額よりも多い額を前記配信広告の課金額として算出する
ことを特徴とする請求項１〜７のいずれか１項に記載の算出装置。
【請求項９】
前記算出部は、
前記広告配信における広告枠の数よりも前記順位が大きい広告が配信広告として配信される場合、前記配信広告の前記順位に基づく予定課金額よりも多い額を前記配信広告の提供元への課金額として算出する
ことを特徴とする請求項８に記載の算出装置。
【請求項１０】
コンピュータが実行する算出方法であって、
コンテンツ配信における評価値に基づいて順位が付された複数のコンテンツに関する情報を取得する取得工程と、
前記順位に基づく配信時に配信されるコンテンツよりも前記順位が低いコンテンツが配信コンテンツとして配信される場合、前記配信コンテンツの前記順位に基づく予定課金額よりも多い額を前記配信コンテンツの提供元への課金額として算出する算出工程と、
を含むことを特徴とする算出方法。
【請求項１１】
コンテンツ配信における評価値に基づいて順位が付された複数のコンテンツに関する情報を取得する取得手順と、
前記順位に基づく配信時に配信されるコンテンツよりも前記順位が低いコンテンツが配信コンテンツとして配信される場合、前記配信コンテンツの順位に基づく予定課金額よりも多い額を前記配信コンテンツの提供元への課金額として算出する算出手順と、
をコンピュータに実行させることを特徴とする算出プログラム。
【発明の詳細な説明】
【技術分野】
【０００１】
本発明は、算出装置、算出方法、及び算出プログラムに関する。
【背景技術】
【０００２】
従来、ユーザが利用する端末装置に配信（表示）されるコンテンツの課金額を算出する技術が提供されている。例えば、端末装置に配信されるコンテンツである広告の課金額を、その広告の次順位の広告の入札価格等に基づいて算出する技術が提供されている。
【先行技術文献】
【特許文献】
【０００３】
【特許文献１】特表２０１２−５１６５１７号公報
【発明の概要】
【発明が解決しようとする課題】
【０００４】
しかしながら、上記の従来技術ではコンテンツ配信における課金額を適切に算出できるとは限らない。例えば、所定の評価値の順位が高いコンテンツが配信される場合であれば配信対象とならないコンテンツ、例えば新たに配信が開始され配信実績が不足するコンテンツ等が配信対象となるようにランダムに、広告等のコンテンツを配信（以下、「ランダム配信」とする場合がある）する場合、配信されるコンテンツの課金額を適切に算出することは難しい。例えば、各コンテンツの所定の評価値の順位が高いコンテンツを配信した場合であれば配信するコンテンツに含まれないコンテンツが配信される場合、上記の従来技術では課金額を適切に算出することは難しい。
【０００５】
本願は、上記に鑑みてなされたものであって、コンテンツ配信における課金額を適切に算出する算出装置、算出方法、及び算出プログラムを提供することを目的とする。
【課題を解決するための手段】
【０００６】
本願に係る算出装置は、コンテンツ配信における評価値に基づいて順位が付された複数のコンテンツに関する情報を取得する取得部と、前記順位に基づく配信時に配信されるコンテンツよりも前記順位が低いコンテンツが配信コンテンツとして配信される場合、前記配信コンテンツの前記順位に基づく予定課金額よりも多い額を前記配信コンテンツの提供元への課金額として算出する算出部と、を備えたことを特徴とする。
【発明の効果】
【０００７】
実施形態の一態様によれば、コンテンツ配信における課金額を適切に算出することができるという効果を奏する。
【図面の簡単な説明】
【０００８】
【図１】図１は、実施形態に係る算出処理の一例を示す図である。
【図２】図２は、実施形態に係る算出装置の構成例を示す図である。
【図３】図３は、実施形態に係る広告情報記憶部の一例を示す図である。
【図４】図４は、実施形態に係る広告の予定課金額の算出の一例を示すフローチャートである。
【図５】図５は、実施形態に係る広告配信における課金額算出の一例を示すフローチャートである。
【図６】図６は、実施形態に係る広告表示における課金処理の一例を示すシーケンス図である。
【図７】図７は、実施形態に係る算出処理の他の一例を示す図である。
【図８】図８は、算出装置の機能を実現するコンピュータの一例を示すハードウェア構成図である。
【発明を実施するための形態】
【０００９】
以下に、本願に係る算出装置、算出方法、及び算出プログラムを実施するための形態（以下、「実施形態」と呼ぶ）について図面を参照しつつ詳細に説明する。なお、この実施形態により本願に係る算出装置、算出方法、及び算出プログラムが限定されるものではない。また、以下の各実施形態において同一の部位には同一の符号を付し、重複する説明は省略される。
【００１０】
（実施形態）
〔１．算出処理〕
まず、実施形態に係る算出処理について説明する。図１は、実施形態に係る算出処理の一例を示す図である。図１では、課金額の算出対象となるコンテンツが広告である場合を示す。また、以下においては、広告枠Ａ（以下、「広告枠ＡＲ１１」とする場合がある）と広告枠Ｂ（以下、「広告枠ＡＲ１２」とする場合がある）との２つの広告枠を含む媒体の一例としてウェブページであるコンテンツＣＴ１１を説明するが、媒体は、ウェブページ以外の媒体であってもよい。例えば、媒体は、ゲームアプリケーション、書籍閲覧アプリケーション、音楽配信アプリケーション、動画配信アプリケーションによって表示される媒体などであってもよい。
【００１１】
また、以下では、広告枠ＡＲ１１、ＡＲ１２を区別しない場合は、広告枠ＡＲとする場合がある。本実施形態においては、「広告枠ＡＲ１１」は、広告枠ＩＤ「ＡＲ１１」により識別される広告枠に対応する。「広告枠ＡＲ１２」は、広告枠ＩＤ「ＡＲ１２」により識別される広告枠に対応する。また、本実施形態においては、広告ＩＤ「ＡＣ１１」により識別される広告を「広告ＡＣ１１」と記載する場合がある。他の広告ＩＤにより識別される広告についても同様である。例えば、広告ＩＤ「ＡＣ１２」により識別される広告を「広告ＡＣ１２」と記載する場合がある。また、以下では、広告ＡＣ１１〜ＡＣ１４を区別しない場合は、広告ＡＣとする場合がある。
【００１２】
図１では、広告配信装置６０が広告枠ＡＲに広告を配信した配信情報に基づいて、算出装置１００が各広告の課金額を算出する場合を示す。また、図１では、広告の評価値であるｅＣＰＭ（effective  Cost  Per  Mille）の高い方から順に広告の順位が付される場合を示す。なお、広告の順位は、ｅＣＰＭの他にも、例えば、入札価格、ＣＴＲ（Click  Through  Rate）、ＣＰＣ（Cost  Per  Click）、ＣＶＲ（Conversion  Rate）などに基づいて付されてもよい。
【００１３】
図１に示すように、配信システム１は、端末装置１０と、コンテンツ配信装置５０と、広告配信装置６０と、算出装置１００とが含まれる。端末装置１０と、コンテンツ配信装置５０と、広告配信装置６０と、算出装置１００とは所定のネットワークを介して、有線または無線により通信可能に接続される。なお、図１に示した配信システム１には、複数台の端末装置１０や、複数台のコンテンツ配信装置５０や、複数台の広告配信装置６０や、複数台の算出装置１００が含まれてもよい。
【００１４】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。
【００１５】
コンテンツ配信装置５０は、コンテンツを配信する情報処理装置である。図１に示す例において、コンテンツ配信装置５０は、端末装置１０からの要求に応じて、端末装置１０において起動されたブラウザに表示されるウェブページであるコンテンツを配信する。例えば、コンテンツ配信装置５０は、端末装置１０からの要求に応じて、端末装置１０において表示されるコンテンツＣＴ１１を端末装置１０に配信する。
【００１６】
広告配信装置６０は、広告を配信する情報処理装置である。広告配信装置６０は、端末装置１０に広告を配信する。例えば、広告配信装置６０は、端末装置１０からの要求に応じて、端末装置１０において表示される広告を端末装置１０に配信する。例えば、広告配信装置６０は、端末装置１０からの要求に応じて、コンテンツＣＴ１１中の広告枠ＡＲに表示される広告を端末装置１０に配信する。
【００１７】
算出装置１００は、広告配信における評価値に基づいて順位が付された複数の広告のうち、端末装置１０に配信された広告の提供元（以下、「広告主」とする場合がある）への課金額を算出する情報処理装置である。例えば、算出装置１００は、広告配信を行う際に順位に基づく配信時に配信される広告よりも順位が低い広告が配信対象の広告（以下、「配信広告」とする場合がある）として配信された場合、配信広告の予定課金額よりも多い額を配信広告の課金額として算出する。例えば、算出装置１００は、順位が高い広告から順に広告配信が行われる場合に配信される広告よりも順位が低い広告が配信広告として配信される場合、配信広告の予定課金額よりも多い額を配信広告の課金額として算出する。
【００１８】
以下、図１を用いて、算出処理の一例を説明する。図１に示す例においては、ユーザがユーザＩＤ「Ｕ１」により識別されるユーザ（以下、「ユーザＵ１」とする場合がある）である場合を示す。また、図１では、広告配信装置６０が、広告要求に対してランダムに選択した広告を配信する場合を示す。
【００１９】
図１に示すように、端末装置１０は、コンテンツ配信装置５０にコンテンツの配信要求を送信する（ステップＳ１１）。例えば、端末装置１０は、ユーザＵ１による操作に応じて、コンテンツ配信装置５０にコンテンツの配信要求を送信する。
【００２０】
端末装置１０から配信要求を受け付けたコンテンツ配信装置５０は、端末装置１０にコンテンツを配信する（ステップＳ１２）。図１に示す例においては、コンテンツ配信装置５０は、端末装置１０にコンテンツＣＴ１１を配信する。図１に示す例において、コンテンツ配信装置５０が配信するコンテンツＣＴ１１には、スポーツに関するニュース記事や広告枠ＡＲ１１、ＡＲ１２が含まれる。
【００２１】
広告枠ＡＲ１１、ＡＲ１２を含むコンテンツＣＴ１１を受信した端末装置１０は、受信したコンテンツＣＴ１１に含まれる広告枠ＡＲ１１、ＡＲ１２に表示する広告を要求する広告要求を広告配信装置６０に送信する（ステップＳ１３）。
【００２２】
端末装置１０から広告要求を取得した広告配信装置６０は、端末装置１０にランダムに広告配信を行う（ステップＳ１４）。すなわち、広告配信装置６０は、広告枠ＡＲ１１、ＡＲ１２に表示する２つの広告の要求に対して、ランダムに選択した２つの広告を配信する。例えば、広告配信装置６０は、評価値（例えば、ｅＣＰＭ）に基づいて抽出された配信候補からランダムに選択した広告を配信する。例えば、広告配信装置６０は、広告ＡＣ１１〜ＡＣ１４を含む複数（例えば、１００本等）の広告のうち、ｅＣＰＭに基づいて配信候補となる広告（例えば、２０本等）を抽出する。図１では、説明の簡単にするために、広告配信装置６０は、ｅＣＰＭに基づいてリスティング（順位付け）された複数の広告含む広告群のうち、広告一覧ＡＬ１１に示すように、ｅＣＰＭが高い４つの広告ＡＣ１１〜ＡＣ１４を抽出するものとする。すなわち、図１では、広告配信装置６０は、広告一覧ＡＬ１１に示すように、１位〜４位の順位が付された４つの広告ＡＣのうちからランダムに選択した２つの広告ＡＣを配信する。具体的には、広告配信装置６０は、ランダムに選択した順位が１位である広告ＡＣ１１と順位が３位である広告ＡＣ１３を端末装置１０に配信する。
【００２３】
その後、広告配信装置６０は、算出装置１００に配信情報を送信する（ステップＳ１５）。具体的には、広告配信装置６０は、２つの広告枠ＡＲに表示する２つの広告の要求に対して、広告ＡＣ１１と広告ＡＣ１３とを配信したことを示す配信情報ＤＬ１１を算出装置１００に送信する。また、広告配信装置６０は、算出装置１００が広告一覧ＡＬ１１に示す情報を未取得の場合、広告一覧ＡＬ１１に示す情報を算出装置１００に送信してもよい。
【００２４】
その後、算出装置１００は、予定課金一覧ＰＬ１１に示すように、所定の算出基準に基づいて各広告ＡＣの広告主に課金する課金額（以下、「予定課金額」とする場合がある）を算出する（ステップＳ１６）。なお、図１では、説明の簡単化のために各広告ＡＣのクリック率は同一の値（例えば０．０２％）であるものとする。また、算出装置１００は、ステップＳ１６において、広告情報記憶部１２１（図１参照）に記憶された広告に関する情報（広告一覧ＡＬ１１に相当）を用いてもよいし、広告配信装置６０から取得した広告一覧ＡＬ１１に示す情報を用いてもよい。
【００２５】
図１では、算出装置１００は、各広告ＡＣの広告主に課金する予定課金額を、その広告ＡＣの次順位の広告ＡＣに基づいて算出する。すなわち、算出装置１００は、各広告ＡＣの広告主に課金する予定課金額を、その広告ＡＣの次にｅＣＰＭの高い広告ＡＣ（以下、「次順位広告ＡＣ」とする場合がある）のｅＣＰＭ（以下、「次順位広告ｅＣＰＭ」とする場合がある）に基づいて算出する。例えば、算出装置１００は、以下の式（１）を用いて予定課金額を算出してもよい。
【００２６】
予定課金額（円）＝次順位広告ｅＣＰＭ／（ＣＴＲ・１０００）＋α  ・・・  （１）
【００２７】
上記の式（１）中の「α」は、目的に応じて種々の数値が用いられる。例えば、上記の式（１）中の「α」は、「１円」であってもよい。また、例えば、上記の式（１）中の「α」は、予定課金額を算出する対象に応じて変動させてもよい。例えば、上記の式（１）中の「α」は、予定課金額を算出する広告の順位に応じて変動させてもよい。例えば、上記の式（１）中の「α」は、算出する予定課金額が入札価格を超えないように変動させてもよい。また、例えば、上記の式（１）中の「α」は、上位の広告の予定課金額を算出する場合ほど、大きくしてもよい。また、例えば、上記の式（１）中の「α」は、上位の広告の予定課金額を算出する場合ほど、小さくしてもよい。なお、以下では、上記の式（１）中の「α」が１円である場合を例に説明する。例えば、図１では、各広告ＡＣのクリック率は同一の値であるため、上記の式（１）により算出される予定課金額は、次順位広告ＡＣの入札価格よりも「１円」だけ高い課金額となる。具体的には、算出装置１００は、広告ＡＣ１１について、次順位広告ＡＣ１２の次順位広告ｅＣＰＭ「２０円」から、予定課金額を「１０１円」と算出する。また、算出装置１００は、広告ＡＣ１２について、次順位広告ＡＣ１３の次順位広告ｅＣＰＭ「１６円」から、予定課金額を「８１円」と算出する。また、算出装置１００は、広告ＡＣ１３について、次順位広告ＡＣ１４の次順位広告ｅＣＰＭ「１０円」から、予定課金額を「５１円」と算出する。また、算出装置１００は、広告ＡＣ１４について、次順位広告ＡＣが無いため、所定の課金額（図１では「１０円」）を広告ＡＣ１４の予定課金額とする。なお、図１では広告ＡＣ１１〜ＡＣ１４の予定課金額を算出する場合を示すが、算出装置１００は、配信情報に含まれる広告ＡＣの予定課金額のみを算出してもよい。
【００２８】
ここで、広告ＡＣ１１と広告ＡＣ１２とのクリック率が異なる場合の予定課金額の算出の一例を説明する。例えば、広告ＡＣ１１のクリック率を「０．０２５％」、広告ＡＣ１２のクリック率を「０．０２％」とした場合、広告枠ＡＲ１１に表示される広告ＡＣ１１の予定課金額は、以下の式（２）のように算出される。
【００２９】
８１（円）  ＝  ２０／（０．０００２５・１０００）＋１  ・・・  （２）
【００３０】
上記の式（２）に示すように、広告ＡＣ１１のクリック率が広告ＡＣ１２のクリック率よりも高い場合、上述した広告ＡＣ１１と広告ＡＣ１２とのクリック率が同じ場合に比べて、算出される予定課金額が少なくなる。すなわち、上記の式（１）を用いて予定課金額を算出した場合、各広告ＡＣのクリック率が異なる場合、各広告ＡＣの予定課金額は、次順位広告ＡＣのｅＣＰＭが高い程多くなり、その広告ＡＣのクリック率が高い程少なくなる。
【００３１】
なお、算出装置１００は、課金対象となる広告ＡＣの予定課金額を次順位広告ＡＣの入札価格（セカンドプライス）としてもよい。また、算出装置１００は、課金対象となる広告ＡＣの入札価格を超えない範囲で、次順位広告ＡＣのｅＣＰＭに基づいて算出した値よりも大きい値を予定課金額として算出してもよい。なお、上記の予定課金額の算出については一例であり、課金対象となる広告ＡＣの入札価格を超えない範囲であれば、算出装置１００は、目的に応じて種々の基準を適宜用いて各広告ＡＣの広告主に課金する予定課金額を算出してもよい。
【００３２】
また、算出装置１００は、配信された各広告ＡＣの順位と、端末装置１０からの広告要求に対して配信された広告数（以下、「配信広告数」とする場合がある）に基づいて、各広告ＡＣの広告主に実際に課金する課金額を算出する（ステップＳ１７）。図１では、算出装置１００は、配信情報ＤＬ１１と予定課金一覧ＰＬ１１とに基づいて、課金額一覧ＣＬ１１に示すように、各広告ＡＣの広告主に実際に課金する課金額を算出する。
【００３３】
ここで、算出装置１００は、配信された広告ＡＣの順位が配信広告数以上である場合、予定課金額を各広告ＡＣの広告主に課金する課金額として算出する。図１では、算出装置１００は、配信された広告ＡＣの順位が配信広告数である２（位）以上である場合、予定課金額を各広告ＡＣの広告主に課金する課金額として算出する。なお、ここでいう広告ＡＣの順位が配信広告数以上であるとは、広告ＡＣの順位が、配信広告数の数値を順位とした場合に、その順位以上であることを意味する。例えば、広告ＡＣの順位が２（位）であり、配信広告数が２である場合、広告ＡＣの順位２（位）が、配信広告数の数値（２）を順位とした場合の順位２（位）以上となる。ここで、広告ＡＣ１１の順位１位は、配信広告数の数値（２）を順位とした場合の順位２（位）以上である。そのため、算出装置１００は、順位が１位である広告ＡＣ１１の広告主に課金する課金額を、広告ＡＣ１１の予定課金額である「１０１円」とする。
【００３４】
一方、算出装置１００は、広告配信を行う際に順位に基づく配信時に配信広告数よりも順位が低い広告ＡＣが配信される場合、その広告ＡＣの予定課金額よりも多い額を広告ＡＣの広告主に課金する課金額として算出する。例えば、算出装置１００は、広告配信における広告枠の数よりも順位が大きい（すなわち、低い）広告が配信広告として配信される場合、配信広告の順位に基づく予定課金額よりも多い額を配信広告の提供元への課金額として算出する。図１では、算出装置１００は、配信された広告ＡＣの順位が配信広告数である２（位）よりも低い、すなわち３（位）以下である場合、その広告ＡＣの予定課金額よりも多い額を広告ＡＣの広告主に課金する課金額として算出する。そのため、算出装置１００は、順位が３位である広告ＡＣ１３の広告主に課金する課金額を、広告ＡＣ１３の予定課金額である「５１円」よりも多い額とする。例えば、算出装置１００は、順位が３位である広告ＡＣ１３の広告主に課金する課金額を以下の式（３）により算出する。
【００３５】
課金額（円）  ＝  （予定課金額＋入札価格）／２  ・・・  （３）
【００３６】
図１では、算出装置１００は、上記の式（３）を用いて、配信された広告ＡＣの順位が配信広告数より低い場合、予定課金額（セカンドプライス）と入札価格（ファーストプライス）との平均額を広告ＡＣの広告主に課金する課金額として算出する。そのため、算出装置１００は、順位が３位である広告ＡＣ１３の広告主に課金する課金額を以下の式（４）のように算出する。
【００３７】
６５（円）  ＝  （５１＋８０）／２  ・・・  （４）
【００３８】
上記の式（４）では、小数点以下を切り捨てた場合を示すが、小数点以下は切り上げてもよいし、四捨五入してもよい。このように、算出装置１００は、順位が３位である広告ＡＣ１３の広告主に課金する課金額を、広告ＡＣ１３の予定課金額である「５１円」よりも多い額である「６５円」とする。これにより、算出装置１００は、順位が高い方から順に広告が配信される場合に配信対象とならない広告が、配信対象となった場合に予定課金額よりも多く課金額を算出することにより、適正な課金額を算出することができる。なお、算出装置１００は、配信された広告ＡＣの順位が配信広告数より低い場合、予定課金額と入札価格との平均額に限らず、適宜の手段により、予定課金額より多く入札価格以下の範囲の課金額を算出してもよい。
【００３９】
上述したように、算出装置１００は、広告配信を行う際に順位に基づく配信時に配信される広告よりも順位が低い広告が配信広告として配信される場合、配信広告の予定課金額よりも多い額を配信広告の課金額として算出することにより、広告配信における課金額を適切に算出することができる。上述のように、算出装置１００は、新たに配信が開始された広告等の配信実績を蓄積させる等の目的のためにランダム配信する場合であっても、配信される広告の課金額を適切に算出することができる。そのため、配信システム１は、ランダム配信により、配信実績が不足する広告等に配信実績を蓄積させつつ、配信される広告の課金額を適切に算出することができる。また、算出装置１００は、広告配信における広告枠の数よりも順位が大きい（すなわち、低い）広告が配信広告として配信される場合、配信広告の予定課金額よりも多い額を配信広告の課金額として算出する。すなわち、算出装置１００は、順位が上位の広告を広告枠の数に対応する数だけ配信する場合であれば配信対象とならない広告が配信広告となった場合、配信広告の予定課金額よりも多い額を配信広告の課金額として算出する。これにより、算出装置１００は、順位が低い広告が配信された際に課金額が低下することを抑制することができる。したがって、算出装置１００は、広告配信における課金額を適切に算出することができる。なお、図１に示す例においては、算出装置１００が課金額を算出する機能のみを有する場合を説明したが、算出装置１００は、コンテンツを配信する機能や広告を配信する機能を有してもよい。例えば、算出装置１００は、コンテンツ配信装置５０や広告配信装置６０と一体であってもよい。
【００４０】
また、上記例においては、コンテンツＣＴ１１に含まれる広告枠ＡＲに配信される広告ＡＣの課金額を算出する例を示したが、算出装置１００は、異なるコンテンツに含まれる広告枠に配信される広告ＡＣの課金額を算出してもよい。すなわち、算出装置１００は、各広告ＡＣがどのような広告枠に対して配信されても、各広告枠に表示される広告の課金額を算出してもよい。なお、図１では、算出装置１００が広告の課金額を算出する例を示したが、コンテンツは広告に限らず、不動産情報やオークションの出品情報やショッピングの商品情報等であってもよい。すなわち、課金額を算出する対象となるコンテンツは、上記の算出処理を適用可能であればどのようなコンテンツであってもよい。
【００４１】
〔２．算出装置の構成〕
次に、図２を用いて、実施形態に係る算出装置１００の構成について説明する。図２は、実施形態に係る算出装置１００の構成例を示す図である。図２に示すように、算出装置１００は、通信部１１０と、記憶部１２０と、制御部１３０とを有する。なお、算出装置１００は、算出装置１００の管理者等から各種操作を受け付ける入力部（例えば、キーボードやマウス等）や、各種情報を表示するための表示部（例えば、液晶ディスプレイ等）を有してもよい。
【００４２】
（通信部１１０）
通信部１１０は、例えば、ＮＩＣ（Network  Interface  Card）等によって実現される。そして、通信部１１０は、ネットワークと有線または無線で接続され、コンテンツ配信装置５０や広告配信装置６０や端末装置１０との間で情報の送受信を行う。
【００４３】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、広告情報記憶部１２１を有する。
【００４４】
（広告情報記憶部１２１）
実施形態に係る広告情報記憶部１２１は、広告に関する各種情報を記憶する。図３に、実施形態に係る広告情報記憶部１２１の一例を示す。図３に示す広告情報記憶部１２１は、「順位」、「広告ＩＤ」、「ｅＣＰＭ」、「入札価格」といった項目を有する。
【００４５】
「順位」は、対応する広告に付された順位を示す。図３の例では、各広告には、「ｅＣＰＭ」の数値が大きい程、高い順位が付される。「広告ＩＤ」は、広告を識別するための識別情報を示す。「ｅＣＰＭ」は、広告に関する評価値であり、広告の１０００回表示あたりの収益額を示す。また、「入札価格」は、広告主が広告を入稿する際に指定する広告料金を示す。例えば、「入札価格」は、広告がユーザに１回クリックされた際に広告主から広告配信者（例えば、広告配信装置６０の管理者等）に支払われる単価に該当する。
【００４６】
例えば、図３に示す例において、広告ＡＣ１１は、順位が「１」位であり、評価値であるｅＣＰＭが「２４円」であり、入札価格が「１２０円」であることを示す。また、例えば、図３に示す例において、広告ＡＣ１２は、順位が「２」位であり、評価値であるｅＣＰＭが「２０円」であり、入札価格が「１００円」であることを示す。また、例えば、図３に示す例において、広告ＡＣ１３は、順位が「３」位であり、評価値であるｅＣＰＭが「１６円」であり、入札価格が「８０円」であることを示す。また、例えば、図３に示す例において、広告ＡＣ１４は、順位が「４」位であり、評価値であるｅＣＰＭが「１０円」であり、入札価格が「５０円」であることを示す。
【００４７】
なお、広告情報記憶部１２１は、上記に限らず、目的に応じて種々の情報を記憶してもよい。例えば、広告情報記憶部１２１は、広告主から入稿された広告コンテンツ（単に「広告」と記載する場合がある）を記憶する。具体的には、広告情報記憶部１２１は、静止画像や動画像やテキストデータやＵＲＬ、または、これらの格納場所を示すファイルパス名などを記憶する。例えば、広告情報記憶部１２１は、広告主を識別するための識別情報を記憶してもよい。なお、広告主は、入稿作業等を代理店に依頼する場合もあるため、「広告主」といった表記は、広告主だけでなく代理店を含む概念であるものとする。
【００４８】
また、例えば、広告情報記憶部１２１は、各広告のクリック率（ＣＴＲ）や種々の評価値に関する情報を記憶してもよい。また、例えば、広告情報記憶部１２１は、広告が表示された回数を示す表示回数に関する情報を記憶してもよい。また、例えば、広告情報記憶部１２１は、各広告の対象となる商品名やサービス名を示す情報を記憶してもよい。なお、広告情報記憶部１２１は、各商品等を示す情報としては「商品名」に限らず、商品を識別するための「商品ＩＤ」等の情報を記憶してもよい。
【００４９】
（制御部１３０）
図２の説明に戻って、制御部１３０は、例えば、ＣＰＵ（Central  Processing  Unit）やＭＰＵ（Micro  Processing  Unit）等によって、算出装置１００内部の記憶装置に記憶されている各種プログラム（算出プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００５０】
図２に示すように、制御部１３０は、取得部１３１と、算出部１３２と、送信部１３３とを有し、以下に説明する算出処理の機能や作用を実現または実行する。なお、制御部１３０の内部構成は、図２に示した構成に限られず、後述する算出処理を行う構成であれば他の構成であってもよい。
【００５１】
（取得部１３１）
取得部１３１は、コンテンツ配信における評価値に基づいて順位が付された複数のコンテンツに関する情報を取得する。例えば、取得部１３１は、広告配信における評価値に基づいて順序が付された複数の広告に関する情報を取得する。図１では、取得部１３１は、広告一覧ＡＬ１１に示す情報を取得する。例えば、取得部１３１は、広告情報記憶部１２１から広告一覧ＡＬ１１に示す情報を取得する。また、例えば、取得部１３１は、外部の情報処理装置から広告一覧ＡＬ１１に示す情報を取得する。例えば、取得部１３１は、広告配信装置６０から広告一覧ＡＬ１１に示す情報を取得する。また、例えば、取得部１３１は、取得した広告一覧ＡＬ１１に示す情報を広告情報記憶部１２１に格納する。
【００５２】
また、取得部１３１は、広告の配信情報を取得する。例えば、取得部１３１は、広告配信装置６０から広告の配信情報を取得する。図１では、取得部１３１は、広告ＡＣ１１と広告ＡＣ１３とを配信したことを示す配信情報ＤＬ１１を広告配信装置６０から取得する。
【００５３】
また、取得部１３１は、広告配信装置６０や広告主が利用する情報処理装置から広告に関する情報を取得してもよい。なお、取得部１３１は、広告主から広告の入稿を依頼された代理店から広告に関する情報を取得してもよい。この場合、例えば、取得部１３１は、広告主や代理店が利用する情報処理装置から広告に関する情報を取得してもよい。また、例えば、取得部１３１は、取得した広告に関する情報を広告情報記憶部１２１に記憶する。
【００５４】
（算出部１３２）
算出部１３２は、順位に基づく配信時に配信されるコンテンツよりも順位が低いコンテンツが配信コンテンツとして配信される場合、配信コンテンツの順位に基づく予定課金額よりも多い額を配信コンテンツの提供元への課金額として算出する。例えば、算出部１３２は、広告配信を行う際に順位に基づく配信時に配信される広告よりも順位が低い広告が配信広告として配信される場合、配信広告の予定課金額よりも多い額を配信広告の課金額として算出する。例えば、算出部１３２は、広告配信における広告枠の数よりも順位が大きい（すなわち、低い）広告が配信広告として配信される場合、配信広告の順位に基づく予定課金額よりも多い額を配信広告の提供元への課金額として算出する。具体的には、算出部１３２は、広告配信における広告枠の数よりも順位を示す数が大きい広告が配信広告として配信される場合、配信広告の順位に基づく予定課金額よりも多い額を配信広告の提供元への課金額として算出する。
【００５５】
例えば、算出部１３２は、ランダムにコンテンツ配信を行う際に広告配信を行う際に、順位に基づく配信時に配信される広告よりも順位が低い広告が配信広告として配信される場合、配信コンテンツの予定課金額よりも多い額を配信コンテンツの提供元への課金額として算出する。例えば、算出部１３２は、評価値に基づいて抽出された配信候補からランダムに選択されるコンテンツを配信する際に配信コンテンツが配信される場合、配信コンテンツの予定課金額よりも多い額を配信コンテンツの提供元への課金額として算出する。また、例えば、算出部１３２は、配信コンテンツの提供元への課金額を配信コンテンツの予定課金額と配信コンテンツの入札価格とに基づいて算出する。算出部１３２は、配信コンテンツの予定課金額より多く、配信コンテンツの入札価格以下の範囲内で、配信コンテンツの提供元への課金額を算出する。例えば、算出部１３２は、配信コンテンツの提供元への課金額を、配信コンテンツの順位と配信されるコンテンツ数とに基づいて算出する。また、例えば、算出部１３２は、配信コンテンツの提供元への課金額を、配信コンテンツの順位と配信されるコンテンツ数との差が大きい程、配信コンテンツの提供元への課金額が配信コンテンツの入札価格の近くなるように算出する。
【００５６】
また、算出部１３２は、配信された広告ＡＣの順位が配信広告数以上である場合、予定課金額を各広告ＡＣの広告主に課金する課金額として算出する。図１では、算出部１３２は、配信された広告ＡＣの順位が配信広告数である２（位）以上である場合、予定課金額を各広告ＡＣの広告主に課金する課金額として算出する。この場合、算出部１３２は、順位が１位である広告ＡＣ１１の広告主に課金する課金額を、広告ＡＣ１１の予定課金額である「１０１円」とする。
【００５７】
また、算出部１３２は、広告配信を行う際に順位に基づく配信時に配信広告数よりも順位が低い広告ＡＣが配信される場合、その広告ＡＣの予定課金額よりも多い額を広告ＡＣの広告主に課金する課金額として算出する。図１では、算出部１３２は、配信された広告ＡＣの順位が配信広告数である２（位）よりも低い、すなわち３（位）以下である場合、その広告ＡＣの予定課金額よりも多い額を広告ＡＣの広告主に課金する課金額として算出する。そのため、算出部１３２は、順位が３位である広告ＡＣ１３の広告主に課金する課金額を、広告ＡＣ１３の予定課金額である「５１円」よりも多い額とする。例えば、算出部１３２は、順位が３位である広告ＡＣ１３の広告主に課金する課金額を上記の式（３）により算出する。この場合、算出部１３２は、順位が３位である広告ＡＣ１３の広告主に課金する課金額を、広告ＡＣ１３の予定課金額である「５１円」よりも多い額である「６５円」とする。
【００５８】
（送信部１３３）
送信部１３３は、各種情報を外部の情報処理装置へ送信する。例えば、送信部１３３は、コンテンツ配信装置５０や広告配信装置６０に各種情報を送信する。例えば、送信部１３３は、算出部１３２により算出された各広告ＡＣの広告主に実際に課金する課金額を、各コンテンツ配信装置５０や広告配信装置６０に送信する。
【００５９】
〔３．処理フロー〕
次に、図４及び図５を用いて、実施形態に係る算出装置１００による課金額の算出処理の手順について説明する。図４は、実施形態に係る広告の予定課金額の算出の一例を示すフローチャートである。図５は、実施形態に係る広告配信における課金額算出を示すフローチャートである。
【００６０】
まず、図４を用いて、算出装置１００による広告の予定課金額の算出の一例について説明する。図４に示すように、算出装置１００の取得部１３１は、広告情報を取得する（ステップＳ１０１）。例えば、取得部１３１は、広告配信装置６０から広告情報を取得する。また、例えば、取得部１３１は、広告情報記憶部１２１から広告情報を取得する。また、取得部１３１は、広告の配信情報を取得する（ステップＳ１０２）。例えば、取得部１３１は、広告配信装置６０から広告の配信情報を取得する。
【００６１】
その後、算出装置１００の算出部１３２は、各広告の予定課金額を算出する（ステップＳ１０３）。例えば、算出部１３２は、配信情報に含まれる広告の予定課金額を算出する。
【００６２】
次に、図５を用いて、算出装置１００による広告配信における課金額算出の一例について説明する。図５に示すように、算出部１３２は、配信情報に含まれる未選択の広告を選択する（ステップＳ２０１）。例えば、算出部１３２は、広告配信装置６０から取得した広告の配信情報から、未選択の広告を１つ選択する。
【００６３】
その後、算出部１３２は、選択した広告の順位が配信された広告数との比較を行う（ステップＳ２０２）。選択した広告の順位が配信された広告数より低い場合（ステップＳ２０２：Ｙｅｓ）、算出部１３２は、所定の基準により予定課金額よりも多い額を課金額として算出する（ステップＳ２０３）。例えば、選択した広告の順位が配信された広告数より低い場合、算出部１３２は、その広告の予定課金額より多くその広告の入札価格以下の額をその広告の広告主に実際に課金する課金額として算出する。
【００６４】
一方、選択した広告の順位が配信された広告数以上である場合（ステップＳ２０２：Ｎｏ）、算出部１３２は、予定課金額を課金額として算出する（ステップＳ２０４）。例えば、選択した広告の順位が２位であり配信された広告数が２つである場合、算出部１３２は、その広告の予定課金額をその広告の広告主に実際に課金する課金額として算出する。
【００６５】
その後、算出部１３２は、対象となる広告を全て選択済みでない場合（ステップＳ２０５：Ｎｏ）ステップＳ２０１から処理を繰り返す。また、算出部１３２は、対象となる広告を全て選択済みである場合（ステップＳ２０５：Ｙｅｓ）、処理を終了する。
【００６６】
次に、図６を用いて配信システム１における課金の処理の流れを示す。図６は、実施形態に係る広告表示における課金処理の一例を示すシーケンス図である。
【００６７】
図６に示すように、端末装置１０は、コンテンツ配信装置５０にコンテンツの配信要求を送信する（ステップＳ３０１）。端末装置１０から配信要求を受け付けたコンテンツ配信装置５０は、端末装置１０にコンテンツを配信する（ステップＳ３０２）。
【００６８】
コンテンツを受信した端末装置１０は、受信したコンテンツに含まれる広告枠に表示する広告を要求する広告要求を広告配信装置６０に送信する（ステップＳ３０３）。端末装置１０から広告要求を取得した広告配信装置６０は、端末装置１０に広告を配信する（ステップＳ３０４）。
【００６９】
そして、広告配信装置６０は、広告の配信情報を算出装置１００へ送信する（ステップＳ３０５）。例えば、広告配信装置６０は、配信した広告に関する情報を算出装置１００へ送信する。
【００７０】
その後、算出装置１００は、広告の配信情報に基づいて課金額の算出処理を行う（ステップＳ３０６）。例えば、算出装置１００は、予定課金額を算出し、配信された広告の順位と配信された広告数との比較によって、広告の広告主に実際に課金する課金額を算出する。その後、算出装置１００は、ステップＳ３０６において算出した課金額に関する情報（課金額情報）を広告配信装置６０に送信する（ステップＳ３０７）。
【００７１】
算出装置１００から課金額情報を取得した広告配信装置６０は、取得した課金額情報に基づいて所定の課金処理を行う（ステップＳ３０８）。なお、ステップＳ３０８の課金処理は、算出装置１００や他の外部の情報処理装置が行ってもよい。
【００７２】
〔４．他の広告配信例〕
まず、実施形態に係る算出処理について説明する。図７は、実施形態に係る算出処理の他の一例を示す図である。なお、図１と同様の部分については適宜説明を省略する。
【００７３】
図７に示すステップＳ２１〜Ｓ２３の処理は、図１に示すステップＳ１１〜Ｓ１３と同様であるため、説明を省略する。ステップＳ２３において、端末装置１０から広告要求を取得した広告配信装置６０は、端末装置１０にランダムに広告配信を行う（ステップＳ２４）。図７では、広告配信装置６０は、ランダムに選択した順位が２位である広告ＡＣ１２と順位が４位である広告ＡＣ１４を端末装置１０に配信する。
【００７４】
その後、広告配信装置６０は、算出装置１００に配信情報を送信する（ステップＳ２５）。具体的には、広告配信装置６０は、２つの広告枠ＡＲに表示する２つの広告の要求に対して、広告ＡＣ１２と広告ＡＣ１４とを配信したことを示す配信情報ＤＬ２１を算出装置１００に送信する。また、広告配信装置６０は、算出装置１００が広告一覧ＡＬ１１に示す情報を未取得の場合、広告一覧ＡＬ１１に示す情報を算出装置１００に送信してもよい。
【００７５】
その後、算出装置１００は、予定課金一覧ＰＬ１１に示すように、各広告ＡＣの予定課金額を算出する（ステップＳ２６）。なお、図７では、図１と同様に説明の簡単化のために各広告ＡＣのクリック率は同一の値（例えば０．０２％）であるものとする。また、図７では、算出装置１００は、上記の式（１）を用いて、各広告ＡＣの広告主に課金する予定課金額を算出する。すなわち、算出装置１００は、広告ＡＣ１１の予定課金額を「１０１円」と算出する。また、算出装置１００は、広告ＡＣ１２の予定課金額を「８１円」と算出する。また、算出装置１００は、広告ＡＣ１３の予定課金額を「５１円」と算出する。また、算出装置１００は、広告ＡＣ１４について、次順位広告ＡＣが無いため、所定の課金額（図１では「１０円」）を広告ＡＣ１４の予定課金額とする。なお、図７では広告ＡＣ１１〜ＡＣ１４の予定課金額を算出する場合を示すが、算出装置１００は、配信情報に含まれる広告ＡＣの予定課金額のみを算出してもよい。
【００７６】
また、算出装置１００は、配信された各広告ＡＣの順位と、配信された広告数（以下、「配信広告数」とする場合がある）に基づいて、各広告ＡＣの広告主に実際に課金する課金額を算出する（ステップＳ２７）。図１では、算出装置１００は、配信情報ＤＬ２１と予定課金一覧ＰＬ１１とに基づいて、課金額一覧ＣＬ２１に示すように、各広告ＡＣの広告主に実際に課金する課金額を算出する。
【００７７】
ここで、算出装置１００は、配信された広告ＡＣの順位が配信広告数以上である場合、予定課金額を各広告ＡＣの広告主に課金する課金額として算出する。図７では、算出装置１００は、配信された広告ＡＣの順位が配信広告数である２（位）以上である場合、予定課金額を各広告ＡＣの広告主に課金する課金額として算出する。そのため、算出装置１００は、順位が２位である広告ＡＣ１２の広告主に課金する課金額を、広告ＡＣ１２の予定課金額である「８１円」とする。
【００７８】
一方、算出装置１００は、広告配信を行う際に順位に基づく配信時に配信広告数よりも順位が低い広告ＡＣが配信される場合、その広告ＡＣの予定課金額よりも多い額を広告ＡＣの広告主に課金する課金額として算出する。図７では、算出装置１００は、配信された広告ＡＣの順位が配信広告数である２（位）よりも低い、すなわち３（位）以下である場合、その広告ＡＣの予定課金額よりも多い額を広告ＡＣの広告主に課金する課金額として算出する。そのため、算出装置１００は、順位が４位である広告ＡＣ１４の広告主に課金する課金額を、広告ＡＣ１４の予定課金額である「１０円」よりも多い額とする。
【００７９】
ここで、算出装置１００は、配信された広告の課金額を、その広告の順位と配信広告数とに基づいて算出する。具体的には、算出装置１００は、配信された広告の課金額を、その広告の順位と配信広告数との差が大きい程、その広告の課金額が入札価格に近くなるように算出する。すなわち、算出装置１００は、広告配信を行う際に順位に基づく配信時に配信される広告よりも順位が低い広告が配信広告として配信される場合、順位が下位の広告が配信される程、その広告の入札価格に近くなるように課金額を算出する。例えば、算出装置１００は、広告配信を行う際に順位に基づく配信時に配信される広告よりも順位が低い広告が配信広告として配信される場合、以下の式（５）により課金額を算出する。
【００８０】
課金額（円）  ＝  ｗ・予定課金額＋（１−ｗ）・入札価格  ・・・  （５）
【００８１】
なお、上記の式（５）において変数ｗの値は０以上１未満であるものとする（０≦ｗ＜１）。ここで、上記の式（５）を用いた場合、変数ｗの値を「０」に近づけるほど、課金額が入札価格に近付き、変数ｗの値を「１」に近づけるほど、課金額が予定課金額に近付く。そのため、算出装置１００は、配信された広告が下位であるほど、変数ｗの値が「０」に近づくように変化させる。これにより、算出装置１００は、配信された広告の課金額を、その広告の順位と配信広告数との差が大きい程、その広告の課金額が入札価格に近くなるように算出する。なお、上記の式（３）は、上記の式（５）における変数ｗを「０．５」とした場合と等しい。
【００８２】
ここで、算出装置１００は、４つの広告ＡＣのうち、最も順位の低い広告ＡＣ１４の課金額の算出の際に、変数ｗの値を広告ＡＣ１３の課金額の算出の際の「０．５」よりも「０」に近づける。図７においては、算出装置１００は、広告ＡＣ１４の課金額の算出の際に、変数ｗの値を「０．２」として、広告ＡＣ１４の課金額を算出する。そのため、算出装置１００は、順位が４位である広告ＡＣ１４の広告主に課金する課金額を以下の式（６）のように算出する。
【００８３】
４２（円）  ＝  ０．２・１０＋（１−０．２）・５０  ・・・  （６）
【００８４】
このように、算出装置１００は、順位が４位である広告ＡＣ１４の広告主に課金する課金額を、広告ＡＣ１４の予定課金額である「１０円」よりも多い額である「４２円」とする。これにより、算出装置１００は、順位が高い方から順に広告が配信される場合に配信対象とならない広告が、配信対象となった場合に予定課金額よりも多く課金額を算出することにより、適正な課金額を算出することができる。また、図７に示すように、順位が３位である広告ＡＣ１３の広告主に課金する課金額の予定課金額からの増加率は「１３０（＝（６５／５０）・１００）」（％）である。一方、順位が４位である広告ＡＣ１４の広告主に課金する課金額の予定課金額からの増加率は「４２０（＝（４２／１０）・１００）」（％）である。このように、算出装置１００は、より下位の広告ＡＣほど、予定課金額からの増加率を大きくすることにより、より適正な課金額を算出することができる。なお、算出装置１００は、上記の式（５）に限らず、目的に応じて適宜の手段により広告ＡＣの広告主に課金する課金額を算出してもよい。
【００８５】
〔５．効果〕
上述してきたように、実施形態に係る算出装置１００は、取得部１３１と、算出部１３２とを有する。取得部１３１は、コンテンツ配信における評価値に基づいて順位が付された複数のコンテンツに関する情報を取得する。算出部１３２は、順位に基づく配信時に配信されるコンテンツよりも順位が低いコンテンツが配信コンテンツとして配信される場合、配信コンテンツの順位に基づく予定課金額よりも多い額を配信コンテンツの提供元への課金額として算出する。
【００８６】
これにより、実施形態に係る算出装置１００は、算出装置１００は、コンテンツ配信を行う際に順位に基づく配信時に配信されるコンテンツよりも順位が低いコンテンツが配信コンテンツとして配信される場合、配信コンテンツの予定課金額よりも多い額を配信コンテンツの課金額として算出することにより、順位が低いコンテンツが配信された際に課金額が低下することを抑制することができる。これにより、算出装置１００は、コンテンツ配信における課金額を適切に算出することができる。
【００８７】
また、実施形態に係る算出装置１００において算出部１３２は、ランダムにコンテンツ配信を行う際に配信コンテンツが配信される場合、配信コンテンツの予定課金額よりも多い額を配信コンテンツの提供元への課金額として算出する。
【００８８】
これにより、実施形態に係る算出装置１００は、ランダム配信を行う場合であっても、コンテンツ配信を行う際に順位に基づく配信時に配信されるコンテンツよりも順位が低いコンテンツが配信コンテンツとして配信される場合、配信コンテンツの予定課金額よりも多い額を配信コンテンツの課金額として算出することにより、順位が低いコンテンツが配信された際に課金額が低下することを抑制することができる。これにより、算出装置１００は、コンテンツ配信における課金額を適切に算出することができる。上述のように、算出装置１００は、新たに配信が開始された広告等の配信実績を蓄積させる等の目的のためにランダム配信する場合であっても、配信される広告の課金額を適切に算出することができる。そのため、配信システム１は、ランダム配信により、配信実績が不足する広告等に配信実績を蓄積させつつ、配信される広告の課金額を適切に算出することができる。
【００８９】
また、実施形態に係る算出装置１００において算出部１３２は、評価値に基づいて抽出された配信候補からランダムに選択されるコンテンツを配信する際に配信コンテンツが配信される場合、配信コンテンツの予定課金額よりも多い額を配信コンテンツの提供元への課金額として算出する。
【００９０】
これにより、実施形態に係る算出装置１００は、評価値に基づいて抽出された配信候補からランダムに選択されるコンテンツを配信するランダム配信を行う場合であっても、コンテンツ配信を行う際に順位に基づく配信時に配信されるコンテンツよりも順位が低いコンテンツが配信コンテンツとして配信される場合、配信コンテンツの予定課金額よりも多い額を配信コンテンツの課金額として算出することにより、順位が低いコンテンツが配信された際に課金額が低下することを抑制することができる。これにより、算出装置１００は、コンテンツ配信における課金額を適切に算出することができる。上述のように、算出装置１００は、新たに配信が開始された広告等の配信実績を蓄積させる等の目的のためにランダム配信する場合であっても、配信される広告の課金額を適切に算出することができる。そのため、配信システム１は、ランダム配信により、配信実績が不足する広告等に配信実績を蓄積させつつ、配信される広告の課金額を適切に算出することができる。
【００９１】
また、実施形態に係る算出装置１００において算出部１３２は、配信コンテンツの提供元への課金額を配信コンテンツの予定課金額と配信コンテンツの入札価格とに基づいて算出する。
【００９２】
これにより、実施形態に係る算出装置１００は、配信コンテンツの提供元への課金額を配信コンテンツの予定課金額と配信コンテンツの入札価格とを用いて、各広告の広告主に実際に課金する課金額を算出することにより、コンテンツ配信における課金額を適切に算出することができる。
【００９３】
また、実施形態に係る算出装置１００において算出部１３２は、配信コンテンツの予定課金額より多く、配信コンテンツの入札価格以下の範囲内で、配信コンテンツの提供元への課金額を算出する。
【００９４】
これにより、実施形態に係る算出装置１００は、配信コンテンツの予定課金額より多く、配信コンテンツの入札価格以下の範囲内で、各広告の広告主に実際に課金する課金額を算出することにより、コンテンツ配信における課金額を適切に算出することができる。
【００９５】
また、実施形態に係る算出装置１００において算出部１３２は、配信コンテンツの提供元への課金額を、配信コンテンツの順位と配信されるコンテンツ数とに基づいて算出する。
【００９６】
これにより、実施形態に係る算出装置１００は、配信コンテンツの提供元への課金額を、配信コンテンツの順位と配信されるコンテンツ数とを用いて、各広告の広告主に実際に課金する課金額を算出することにより、コンテンツ配信における課金額を適切に算出することができる。
【００９７】
また、実施形態に係る算出装置１００において算出部１３２は、配信コンテンツの順位と配信されるコンテンツ数との差が大きい程、配信コンテンツの提供元への課金額を配信コンテンツの入札価格に近くなるように算出する。
【００９８】
これにより、実施形態に係る算出装置１００は、配信コンテンツの提供元への課金額を、配信コンテンツの順位と配信されるコンテンツ数との差が大きい程、配信コンテンツの提供元への課金額が配信コンテンツの入札価格に近くなるように、各広告の広告主に実際に課金する課金額を算出する。例えば、算出装置１００は、より下位の広告ほど、予定課金額からの増加率を大きくすることにより、より適正な課金額を算出することができる。これにより、算出装置１００は、コンテンツ配信における課金額を適切に算出することができる。
【００９９】
また、実施形態に係る算出装置１００において取得部１３１は、広告配信における評価値に基づいて順序が付された複数の広告に関する情報を取得する。また、算出部１３２は、広告配信を行う際に順位に基づく配信時に配信される広告よりも順位が低い広告が配信広告として配信される場合、配信広告の予定課金額よりも多い額を前記配信広告の課金額として算出する。
【０１００】
これにより、実施形態に係る算出装置１００は、算出装置１００は、広告配信を行う際に順位に基づく配信時に配信される広告よりも順位が低い広告が配信広告として配信される場合、配信広告の予定課金額よりも多い額を配信広告の課金額として算出することにより、順位が低い広告が配信された際に課金額が低下することを抑制することができる。これにより、算出装置１００は、広告配信における課金額を適切に算出することができる。
【０１０１】
また、実施形態に係る算出装置１００において、算出部１３２は、広告配信における広告枠の数よりも順位が大きい広告が配信広告として配信される場合、配信広告の順位に基づく予定課金額よりも多い額を配信広告の提供元への課金額として算出する。
【０１０２】
これにより、実施形態に係る算出装置１００は、算出装置１００は、広告配信における広告枠の数よりも順位が大きい（すなわち、低い）広告が配信広告として配信される場合、配信広告の予定課金額よりも多い額を配信広告の課金額として算出する。すなわち、算出装置１００は、順位が上位の広告を広告枠の数に対応する数だけ配信する場合であれば配信対象とならない広告が配信広告となった場合、配信広告の予定課金額よりも多い額を配信広告の課金額として算出する。これにより、算出装置１００は、順位が低い広告が配信された際に課金額が低下することを抑制することができる。したがって、算出装置１００は、広告配信における課金額を適切に算出することができる。
【０１０３】
〔６．ハードウェア構成〕
上述してきた実施形態に係る算出装置１００は、例えば図８に示すような構成のコンピュータ１０００によって実現される。図８は、算出装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１０４】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１０５】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１０６】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１０７】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１０８】
例えば、コンピュータ１０００が実施形態に係る算出装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１０９】
以上、本願の実施形態のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１１０】
〔７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１２】
また、上述してきた実施形態は、処理内容を矛盾させない範囲で適宜組み合わせることが可能である。
【０１１３】
また、上述してきた「部（section、module、unit）」は、「手段」や「回路」などに読み替えることができる。例えば、取得部は、取得手段や取得回路に読み替えることができる。
【符号の説明】
【０１１４】
１  配信システム
１００  算出装置
１２１  広告情報記憶部
１３０  制御部
１３１  取得部
１３２  算出部
１３３  送信部
１０  端末装置
５０  コンテンツ配信装置
６０  広告配信装置
【図１】
0006607537.tif 000002
【図２】
0006607537.tif 000003
【図３】
0006607537.tif 000004
【図４】
0006607537.tif 000005
【図５】
0006607537.tif 000006
【図６】
0006607537.tif 000007
【図７】
0006607537.tif 000008
【図８】
0006607537.tif 000009